(57)【要約】【課題】この発明は、より多くの照明を調光でき、同時にたくさんのチャンネルをもつこともでき、更により簡単にチャンネルを選択して調光できる調光器を提供する。【解決手段】  本発明は、照明にID番号を割り振り、そのID番号に対してキーやコントローラーで照明の明るさの制御を行う調光コントロール装置である。これによって、操作が簡単にできる：照明及び照度を設定してメモリー（F１〜F１０）を登録し、メモリーの実行機能により、登録内容で、照明、照度の設定を行う。設定したプログラムが、自動的に実行できることによって、人力コストの削減ができる。【選択図】  図１
2013020776.tif 000002
【特許請求の範囲】
【請求項１】
調光コントローラー、内訳は：
外側、内部装置空間あり；
（１〜１０）（０〜９）の複数操作キー、外側にあり、チャンネル選択と数字選択ができる、指定可能；
ロータリースイッチ、外側にあり、明るさ調整可能；
液晶モニター、外側にあり、チャンネル選択及び光度が表示される；その他
電気回路コントローラー、内側に内蔵され、ロータリースイッチと複数操作キー及び液晶モニターに電力出力できる；
使用者が数字キーでチャンネルを選択すると、各選択されたチャンネルの明るさがロータリースイッチを回すことによって変わる、ことを特徴とする調光コントローラー。
【請求項２】
請求項１で述べたような調光コントローラー、該複数操作キーの中の数字キーが、光度コントロールの機能が前より良くなり、数字キーでチャンネル選択して、長押しすると、選択されたチャンネルの明るさが変わる請求項１記載の調光コントローラー。
【請求項３】
請求項２で述べたような調光コントローラー、内：数字キーを選択して、長押しすると、選択した灯が徐々に点灯して、明るさがアップ（UP）し、一旦キーから離れると、離す前のままの明るさになり：
数字キーを選択して、長押しすると、明るさが徐々にアップして１００％までに至り、一旦押すのを止めて、又長押しすると、明るさが１００％から徐々に暗くなり、暗くなるときキーから離れると、離す前の明るさになり；
数字キーを選択して、長押しすると、明るさが徐々に１００％から０％に至り、一端押すのを止めて、又長押しすると、明るさが０％から徐々に明るくなり、明るくなるときキーから離れると、離す前のままの明るさになる、請求項２記載の調光コントローラー。
【請求項４】
請求項１〜３で述べたような調光コントローラー、電気回路コントローラー内訳：
ファンクションキーコントロールユニット、操作すると表示される；
ロータリースイッチコントロールユニット、操作すると表示される；
モニターユニット、操作すると、該モニターに表示され；
調光コントロールユニット、ファンクションコントロールユニット、ロータリースイッチコントロールユニット、モニターユニット、発信ユニット、電力出力すると該調光コントロールユニットに繋がり；
選択されたチャンネルキーで明るさなど設定した後、モニターユニット経由でモニター器に表示され、調光コントロールユニット経由で発信ユニットまで出力する、請求項１〜３のいずれかに記載の調光コントローラー。
【請求項５】
請求項４で述べたような調光コントローラー、該発信ユニットから発信したのは、DMX５１２仕様である請求項４記載の調光コントローラー。
【請求項６】
調光コントローラー、内訳は：
外側、内部装置空間あり；
（１〜１０）（０〜９）の複数操作キー、外側にあり、チャンネル選択と数字選択でき、指定可能；該数字キーでチャンネル選択した後、長押しすると、選択されたチャンネルの灯具の明るさが変わり：
液晶モニター、外側にあり、チャンネル選択及び光度が表示され；その他
電気回路コントローラー、内側に内蔵され、複数操作キー及び液晶モニターに電力出力できることを特徴とする調光コントローラー。
【請求項７】
請求項６で述べたような調光コントローラー、内：
数字キーを押して、長押しすると、選択した灯が徐々に点灯して明るさをアップし、一旦キーから離れると、離す前のままの明るさになり；
数字キーを選択して、長押しすると、明るさが徐々にアップして１００％まで至り、一旦押すのを止めて、又長押しすると、明るさが１００％から徐々に暗くなり、暗くなる時キーから離れると、離す前のままの明るさになり；
数字キーを選択して、長押しすると、明るさが徐々に１００％から０％に至り、一旦押すのを止めて、又長押しすると、明るさが０％から徐々に明るくなり、明るくなる時キーから離れると、離す前のままの明るさになる、請求項６記載の調光コントローラー。
【請求項８】
請求項６又は７で述べたような調光コントローラー、電気電路コントローラー内訳：
ファンクションキーコントロールユニット、操作すると表示される；
モニターユニット、操作すると、該モニターに表示され；
調光コントロールユニット、ファンクションコントロールユニット、モニターユニット、発信ユニット、電力出力すると該調光コントロールユニットに繋がり；
選択されたチャンネルキーで明るさなど設定した後、モニターユニット経由でモニター器に表示され、調光コントロールユニット経由で発信ユニットまで出力する、請求項６又は７に記載の調光コントローラー。
【請求項９】
調光コントローラー、内訳：
外側、内側装置空間あり：
複数操作キーが外側に設置してあり；
ロータリースイッチが外側に設置してあり；
モニターが内側に設置してあり；
電気回路コントローラー、内側に内蔵され、複数操作キー及び液晶モニターに電力出力でき；該電気回路コントローラー上に時間コントロールユニットが設置してあり、時間発信提供可能；
該電気回路コントローラーが複数の区間時間設定及び各時間内の明るさ調整に回路提供でき；
内、該調光コントロールが時間発信及びコントロールシステムによって、各チャンネルの灯具の明るさが自動的にコントロールシステムの設定に合わせられることを特徴とする調光コントローラー。
【請求項１０】
請求項９で述べたような調光コントローラー、使用者が数字キーでチャンネル選択すると、各選択されたチャンネルの明るさがロータリースイッチを回すことによって変わる、請求項９記載の調光コントローラー。
【請求項１１】
請求項９又は１０で述べたような調光コントローラー、該電気回路コントローラー内訳：
ファンクションキーコントロールユニット、操作すると表示される；
ロータリースイッチコントロールユニット、操作すると表示される；
液晶モニターユニット、操作すると、該モニターに表示され；
調光コントロールユニット、ロータリースイッチユニット、モニターユニット、時間コントロールユニット及び調光コントロールシステム、電力出力すると、該コントロールユニットに繋がり；
選択されたチャンネルキーで明るさなど設定した後、モニターユニット経由でモニター器に表示され、時間など設定した後、調光コントロールシステムを実行し、選択されたチャンネルの灯具の明るさを調整して、調整された光度が出力される、請求項９又は１０記載の調光コントローラー。
【請求項１２】
請求項１１で述べたような調光コントローラー、複数操作キー内訳；
（１〜１０）（０〜９）数字キーでチャンネルと数字選択でき；
キーごと選択すると、キー指定でき；
全キー選択すると、全キー選択或いは選択なしにでき；
セットキー、時間など設定機能；
実行キー、全自動モード実行機能、登録された情報（時間とか）を認識して、全自動モードに入り、明るさとか自動調整できる、請求項１１に記載の調光コントローラー。
【発明の詳細な説明】
【技術分野】
【０００１】
この発明は、調光コントローラー（調光装置）に係り、詳記すればキーとロータリースイツチを使用して、照明の明るさの制御を行なうことができる調光コントローラーに関する。
【背景技術】
【０００２】
広範囲な環境で、例えば、工場や学校、倉庫など充分な照度を提供するために、大量の照明を設置しなければならない。簡単に各照明の明るさをコントロールできるように、調光コントローラに接続し、作業員がその調光コントローラで各照明の明るさを調整している。
【０００３】
図７が某調光コントローラの平面構造を示している。調光器８０に複数のスライド式スイッチ８２がある。各スライド式スイッチでチャンネル（channel）上の照明を選択し、照明の明るさを調整する。
【０００４】
調光器に設置できるスライド式スイッチの数が限られるため、通常の調光器は、最大１２組の照明の明るさしか調整できない。換言すれば、同じ環境で１２０組の照明を設置するために、調光器が１０台も必要になる。その結果、調光器の購入費用も高くなり、置く場所も問題になるし、しかも配線も複雑になってしまう。
【０００５】
図８が別の某調光器を示している。キーで数多くの照明を調光できる。図のように調光器９０の表面にモニター９１と複数のキー９２から構成されている。モニター９１と複数のキー９２は、中にあるコントロールユニットに接続する。チャンネルキー９２１と９２２照明を選択し、９２３と９２４キーで照度を選択する。
【０００６】
上述の調光器は、照明数制限がないが、チャンネルを選択するには、一々キーを押さなければならない欠点がある。換言すれば、照明１の照度を１０％に設定した後、照明２５６の照度を１００％に設定する場合、９２２キーを２５５回、９２３キーを９０回押さなければならない。照明数に制限がある欠点は克服できるが、操作は非常に不便である。
【発明の概要】
【発明が解決しようとする課題】
【０００７】
この発明は、より多くの照明を調光でき、同時にたくさんのチャンネルをもつこともでき、更により簡単にチャンネルを選択して調光できる調光コントローラーを提供することを目的とする。
【０００８】
上記目的に沿う本発明の構成を説明する。
&#8231;容積のある器具；
&#8231;表面に（０〜９）キーが設けてあり、任意のチャンネルを指定できる；
&#8231;表面にロータリースイッチが設けてあり、回すと明るさが調整できる；
&#8231;表面にモニターが設けてあり、チャンネル番号と照度％を示す；
&#8231;中に電気回路板が入っており、キーとロータリースイッチをモニターに接続する；キーでチャンネルを選択してロータリースイッチで明るさを調整する。
【０００９】
本発明は、もう一つの調光コントロール装置を提供する。以下の部品が含まれている。
&#8231;容積のある器具；
&#8231;表面に（０〜９）キーが設けてあり、任意のチャンネルを指定できる；チャンネルを指定したキーを長押しすると照明の明るさが調整できる；
&#8231;表面にモニターが設けてあり、チャンネル番号と照度％を示す；
&#8231;中に電気回路板が入っており、キーとロータリースイッチをモニターに接続させる。
【００１０】
本発明は、更にもう一つの調光コントロール装置を提供する。以下の部品が含まれている。
&#8231;容積のある器具；
&#8231;表面に（０〜９）キーが設けてある；
&#8231;表面にロータリースイッチが設けてある；
&#8231;表面にモニターが設けてある；
&#8231;中に電気回路が入っており、キーとロータリースイッチをモニターに接続させる。タイマーコントロールユニットが含まれており、時間信号を提供する；
電気回路が一つのコントロールプログラマーを組んでいる。複数の時間帯が編成され、各チャンネルが指定された時間帯に点灯／消灯を行う。
調光コントロールユニットが、時間信号とコントロールプログラマーより自動的に指定したチャンネルの照明の明るさを調整できる。
【発明の効果】
【００１１】
コントローラー（調光器）が同時に多くの照明の調光を行なうことができる。更に操作キーでチャンネルを指定でき、ロータリースイッチで明るさの調整が可能になるので、より簡単に操作できる。
【００１２】
また、指定した時間で自動的に点灯／消灯できるので、手間が省かれる。
【図面の簡単な説明】
【００１３】
【図１】本発明の実施例を示す平面図である。
【図２】本発明の実施例を示す電気回路ブロック図である。
【図３】本発明の実施例を示す電気回路図（詳細版）である。
【図４】発光ユニットの電気回路図（詳細版）である。
【図５】本発明の他の実施例を示す電気回路ブロック図である。
【図６】本発明の他の実施例を示す電気回路ブロック図である。
【図７】従来の調光コントローラーを示す平面図である。
【図８】従来の他の調光コントローラーを示す平面図である。
【符号の説明】
【００１４】
１              調光コントローラー
６              ライトコントローラー
１０            外側
２０            コントロールユニット
２１            操作キー
３０            ロータリーユニット
３１            ロータリースイッチ
４０            表示ユニット
４１            表示器
５０            調光コントロールユニット
５１            発信ユニット
６１            灯具
６２            電源コントロールユニット
６３            受信ユニット
６４            ライトコントロールユニット
７０            タイムコントロールユニット
８０            本体
８２            スライド式スイッチ
９０            本体
９１            表示器
９２            実行キー
９２１、９２２  チャンネル選択キー
９２３、９２４  光度コントロールキー
【発明を実施するための最良の形態】
【００１５】
以下、本発明の好ましい実施の形態を、添付図面に基づいて詳細に説明する。
【００１６】
図１と図２は、本発明調光コントローラの内部構造を表すものである。容積のある器具１０と複数の操作キー２１、ロータリースイッチ３１、モニター４１と中の電気回路板１枚から構成されている。
【００１７】
また、複数の接続ポイント（例、接続ユニットＲＪ４５）が付いている。一つの接続ポイントに付き、複数のランプコントローラ６と接続でき、同時にチャンネル番号が振られる。
【００１８】
別々の接続ポイントと繋がるランプコントローラ６のチャンネル番号が異なっても、同じでも、部分的に同じでも差し支えない。例えば、各接続ポイントに複数のチャンネル番号８８のライトコントローラ６と繋がるのを想定する。チャンネル番号８８上のライトをコントロールするには、各接続ポイントからライトコントローラ６へ信号を発し、ライトコントローラ６によって照明６１の照度を調整する。即ち、チャンネルをコントロールするには、ライトコントローラ６のチャンネル番号をID番号に設定すれば良い。どの接続ポイントに設定しても、正確に調光コントロール信号を接収することができる。
【００１９】
キーの説明：図１に示す通り、調光コントローラの表面にF１〜F１０キー、SET、Run、ChNo、AL等のキーが設けられている。
【００２０】
Fnキー：
（１）押す：IDの選択（１〜１０）及び数値（０〜９）として使用する。
例えばF５を押すとチャンネル５が選択される；
F１０を押すとチャンネル１０が選択される。
（２）長押：該当ID（０１〜１０）照明の点灯と消灯を実行する。
点灯後、押す時間によって、明るさを調整できる。
ChNoキー：
（１）押す：IDの選択（０１〜９９）として使用する。
例、Ch１〜Ch１０＝F１〜F１０、即ち「F１〜F１０」の場合は、直接キーを押せば選択できる。
Ch５１０＝Ch＋F５＋F１＋F１０＋Ch、即ち「F１１〜」の場合は、キーを数字として使用する。Ch、F５、F１＋F、Chの順に押す。
（２）長押：明るさを設定して、各IDの明るさを調整する。
ALLキー：
（１）押す：全IDを選択／解除を行う。
【００２１】
例えばチャンネル１〜チャンネル５１２を選択するには、一々押さなくとも、ALLキーで全部選択／解除ができる。
（２）長押：全IDの点灯／消灯を実行する。
SETキー：
（１）押す：時間と照度をメモリーに登録する。
（２）長押：日付／時刻の設定を行う。
Runキー：
（１）押す：メモリーされた機能を実行する。
（２）長押：オリジナル機能（F１〜F１０）の実行及び自動実行（F１０）を行う。
【００２２】
ロータリースイッチ：
ID番号を選択して調光を行う。
例、Ch８８の照度を３０％→６０％に調整するには、Ch＋F８＋F８＋Ch→ロータリースイッチを右に回して、明るさを３０％から６０％に設定して完了です。
【００２３】
電気回路板：図３に示すように、キーコントロールユニット２０とロータリースイッチコントロールユニット３０、モニターユニット４０、調光コントロールユニット５０が含まれている。
&#8231;キーコントロールユニット２０は、操作キー２１と繋ぎ、その信号を接収する。
&#8231;ロータリースイッチコントロールユニット３０は、ロータリースイッチと繋ぎ、その信号を受け取る。
&#8231;モニターユニット４０は、モニター４１と繋ぐ。
【００２４】
調光コントロールユニット５０は、２０と３０、４０と繋ぐ；上述のチャンネル及び設定した明るさ等をまとめて記録し、４０を通して４１に送る。同時に信号が信号輸出ユニット５１を経由して、ライトコントローラー６に出す。本発明は、DMX５１２規格の調光コントロール信号を出す。
【００２５】
図２に示している通り、各ライトコントローラー６が、電圧コントロールユニット６２と信号輸入ユニット６３、ライトコントロールユニット６４から構成される。ライトコントローラー６で照明６１の明るさをコントロールできる；６２と６３、６４の詳細電路構成は、図４を参照する。
【００２６】
電圧コントロールユニット６２が、入り口から入った交流電圧をいくつかの直流電圧に変換させ、内部の各部品の電圧を提供する。例えば、3.3V、５V、２８V等。また、６２に複数の電圧輸出出口があり、異なる直流電圧を送り出す。
【００２７】
信号輸入ユニット６３は、信号輸出ユニット５１と繋ぎ、調光コントロール装置１から出た信号を受け取り、６３の内部にチャンネル番号が割り振られる。６３は６４から、調光コントロール信号を受け取る。チャンネル番号と調光コントロール信号が一致すれば、照明６１の信号を変えることで、明るさを調整することが可能となる。例えばチャンネル番号nを実行させるには、６が調光コントロール信号の中からnという信号をキャッチしなければならない。これで、照明６１の明るさの調整ができる。
【００２８】
本発明は、ロータリースイッチ以外のキーを長押によって、調光を行なうことができる。
例えば：
a、キーを長押すると、光が徐々に明るくなり、途中でキーを離せば、照明の明るさはこのまま維持できる。
b、明るさが最大になるまで、キーを長押して離す。またキーを長押しして、光が徐々に暗くなり、途中でキーを離せば、照明の明るさは、このまま維持できる。
c、bパターンと逆。
調光コントロール装置１が、複数の照明コントローラ６をコントロールできる。調光コントロールユニット５０が、信号処理機（数桁？）から構成されるので、体積制限の問題が解消できる。また、キーコントロールユニットでチャンネル番号を設定できる：ロータリースイッチを回すことで、明るさを変えることができる。
【００２９】
図５が、本発明の二番目の優れた機能を示している。上記と同じ（如上記）。
【００３０】
図６が、本発明の三番目の優れた機能を示している。電気回路にタイマーコントロールユニット７０（Real Time Clockが内蔵され、停電時電池から電気が供給される）を加えることで、時間信号が提供される。
【００３１】
調光コントロールユニット５０に、複数の時間帯が設定されている。チャンネルが時間帯内で点灯消灯を制御する。例えば：
午前の仕事：
８：００〜１２：００  番号１の照度６０％、番号２の照度６０％、番号３の照度６０％、
昼休憩：
１２：００〜１３：００  番号１の照度１０％、番号２の照度２０％、番号３の照度１０％、
午後の仕事：
１３：００〜１８：００  番号１の照度６０％、番号２の照度６０％、番号３の照度６０％、
残業：
１８：００〜２０：００  番号１の照度１００％、番号２の照度１００％、番号３の照度１００％、
退勤：
１８：００〜２０：００  番号１の照度００％、番号２の照度１０％、番号３の照度００％、
調光コントロールユニット５０は、時間コントロールユニットから受け取った時間信号が、朝８時であれば、設定した照度６０％、６０％、６０％になる。同様に他の時間帯でも設定した照度で点灯する。電池が入っていいるので、消灯時でも時間をカウントできる。例えば、１１時に消灯、１２時３０分に点灯を設定するとすれば、タイマーコントロールユニットが電池に電気を供給され、続けて時間をカウントする。１２字３０分になると、設定した照度で点灯できる。
【００３２】
上記の通り、使用者は時間及び照明の使用状況によって、該調光コントロールユニット５０で設定したり、各灯具６１の光度を指定したり、臨機応変に使用することができる。尚、本発明は、タイムコントロールユニット７０で時間測定していて、光度コントロールユニット５１からライトコントローラー６までの発信では、調光コントロールユニット５０で対応する形です。しかし、今までの時間測定器は、発信線路を制御してなくて、電気電力線路を制御した、最大積載功率の制限もあった、本発明は最大積載功率の制限はない。
例えば、今までの時間測定器最大積載功率が１０００Ｗで、負荷が２００Ｗの場合、該時間測定器の最大積載が５灯×２００Ｗに超えてはいけない。例え１２８灯×２００Ｗを制御するには、２６台時間測定器が必要になる。本発明は、電源電力線路なしで、各灯具をコントロールしたので、最大積載功率の制限がない。であるから、本発明の調光コントローラー１台で、１００灯×２００Ｗを制御することができる。また、前述のように、今までのタイマー設定器は、点灯、消灯しかできないことに比べると、本発明は光度０％〜１００％の間全部調整可能である。本発明は、今までのタイマー設定器より、今後の企業の重要性に更に応用範囲が広がる。
【００３３】
上記述べたように、本発明は特許の条件を満たして、法律の元で申請をしている。本発明は前述のように機能に関して色々説明したが、そうとは限らず、まだまだ説明していない機能が付いています。これから、本発明の主旨の範囲内で、改良とかしても、本発明の範囲内であり、本発明の保護範囲の下にあります。
【図１】
2013020776.tif 000003
【図２】
2013020776.tif 000004
【図３】
2013020776.tif 000005
【図４】
2013020776.tif 000006
【図５】
2013020776.tif 000007
【図６】
2013020776.tif 000008
【図７】
2013020776.tif 000009
【図８】
2013020776.tif 000010